(57)【要約】  本発明は、建物に安全ガラス要素（８）を取り付けるための構成を提案するものであり、このアセンブリは、建物に連結された支持体要素（１０）と、内側表面に付着する安全フィルム（２０）で被覆された窓ガラス（１４）を有するガラス要素（８）とから構成され、ガラス要素（８）は、接着ストリップ（３０）によって支持体（１０）に取り付けられている。本発明によれば、窓ガラス（１４）の周縁の縁部（１６Ｂ）にはフィルム（２０）がなく、フィルムの周縁限界（２２）と窓ガラスの端（１８）との間には間隔が空けられており、窓ガラス（１４）の端（１８）とフィルムの限界（２２）を隔てる間隔が増減を繰返す。【選択図】図２
2010533251.tif 000002
【特許請求の範囲】
【請求項１】
建物用の安全ガラス要素（８）をマウント（１０）に取り付けるための構成であって、ガラス要素（８）が、内側表面に付着する安全フィルム（２０）で裏打ちされた窓ガラス（１４）を有し、かつ建物に連結されたマウント要素（１０）に接着ストリップ（３０）によって取り付けられているもので、窓ガラス（１４）の周縁の縁部（１６Ｂ）にはフィルム（２０）がなく、フィルムの周縁限界（２２）と窓ガラスの端（１８）との間には間隔が空いており、窓ガラス（１４）の端（１８）とフィルムの限界（２２）の間隔が増減を繰返すことを特徴とする構成。
【請求項２】
フィルム（２０）の第１の周縁部分が接着ストリップ（３０）と接触し、フィルム（２０）の第２の周縁部分が接着ストリップ（３０）から離れていることを特徴とする、請求項１に記載のガラス要素取り付け構成。
【請求項３】
フィルム（２０）の第１周縁部分と第２の周縁部分とが隣接を繰返すことを特徴とする、請求項１または２に記載のガラス要素取り付け構成。
【請求項４】
フィルム（２０）の限界（２２）がうねっていることを特徴とする、請求項１ないし３のいずれか一項に記載のガラス要素取り付け構成。
【請求項５】
フィルム（２０）の限界（２２）が波打っており、その山は、第１の部分において窓ガラス（１４）の端（１８）に最も近い限界部分に対応しており、その谷は、第２の部分において窓ガラスの端から最も遠い限界部分に対応しており、各山の形は、各谷の形よりも平坦であることを特徴とする、請求項１ないし４のいずれか一項に記載のガラス要素取り付け構成。
【請求項６】
フィルム（２０）の限界（２２）と窓ガラス（１４）の端（１８）の間隔が、正弦波に従って増減を繰返すことを特徴とする請求項１ないし３のいずれか一項に記載のガラス要素取り付け構成。
【請求項７】
フィルム（２０）の限界（２２）が、のこぎり歯形状に従って、あるいは切り欠き形状に従って増減を繰返すことを特徴とする、請求項１ないし３のいずれか一項に記載のガラス要素取り付け構成。
【請求項８】
第１の部分において接着ストリップ（３０）によって覆われるフィルム（２０）の最大幅が約１ミリメートルであることを特徴とする、請求項１ないし７のいずれか一項に記載のガラス要素取り付け構成。
【発明の詳細な説明】
【技術分野】
【０００１】
本発明は、安全フィルムを有するガラス要素に関する。これはとりわけ、建物用のガラス要素、例えばショーウィンドウやガラス張りファサードなどの取り付け構成に関する。
【背景技術】
【０００２】
公報ＷＯ９６２６３３６は、その一面すべてが安全フィルムで裏打ちされた窓ガラスを有する建物用ガラス要素を記載している。安全フィルムは、侵入防止用の、あるいは割れないガラス要素を得ることを可能とする。この公報では、フィルムで裏打ちされたガラス要素の表面が接着剤で接合されたマウント要素によって、ガラス要素が建物に取り付けられている。
【０００３】
しかしながら、安全フィルムを介した接着剤でのガラス要素の接合は、窓ガラスがマウントに直接接着剤で接合されていないので、ガラス要素の取り付けクオリティを損なう。
【０００４】
公報ＷＯ２００７０４２７１６は、安全フィルムで裏打ちされた窓ガラスを有するガラス要素を提供するもので、窓ガラスはフィルムで裏打ちされていない周縁領域を有しており、よってそこを建物に連結されたマウント要素に直接取り付け可能としており、したがって、その保持に問題は起きない。
【０００５】
しかしながら、マウント要素に安全フィルムが保持されておらず、その効果は減じられる。
【発明の概要】
【発明が解決しようとする課題】
【０００６】
本発明の目的は、建物のマウント要素に窓ガラスを取り付け、さらにマウント要素への窓ガラスの取り付けクオリティを損なうフィルムの取り付けなしにフィルムの周縁を取り付けるための、安全フィルムを備えた窓ガラスからなるガラス要素を提供することである。
【課題を解決するための手段】
【０００７】
この目的を達成するために、本発明は、窓ガラスの周縁の縁部にフィルムがなく、フィルムの周縁限界が、窓ガラスの端から間隔を空けており、窓ガラスの端とフィルムの限界の間隔が増減を繰返す安全ガラス要素取り付け構成を提供する。
【０００８】
本発明の他の特徴によると、フィルムの第１の周縁部分は接着ストリップと接触することができ、フィルムの第２の周縁部分は接着ストリップから離れていることができる。
【０００９】
フィルムの第１および第２の周縁部分は交互に隣接するものとできる。
【００１０】
フィルムの限界がうねっており、具体的には波打っており、その山は、第１の部分において窓ガラスの端に最も近い限界部分に対応しており、その谷は、第２の部分において窓ガラスの端から最も遠い限界部分に対応しており、各山の形は、各谷の形よりも平坦なものとできる。
【００１１】
フィルムの限界と窓ガラスの端の間隔は、正弦波に従って、のこぎり歯形状に、あるいは切り欠き形状に従って増減を繰返すものとできる。
【００１２】
第１の部分において接着ストリップによって覆われたフィルムの最大幅は、およそ１ミリメートルとできる。
【００１３】
本発明の例を、以下の図面を参照して説明する。
【図面の簡単な説明】
【００１４】
【図１】マウント要素に取り付けられた本発明によるガラス要素の概略的部分断面図。
【図２】本発明によるガラス要素の部分平面図。
【図３】図２に符号ＩＩＩによって示された図２の詳細図。
【発明を実施するための形態】
【００１５】
建物は、ガラス要素、例えばショーウィンドウなどによって覆われる必要がある開口部を有することがある。これらのガラス要素は、物を投げつけられるといった破壊行為の標的となりがちであり、よって安全フィルムが備えられており、これは金網を設けなくても、不法侵入を遅らせたり、窓ガラスがマウントから取り外されるのを防止したり、あるいは衝撃の効果によってガラス片が飛び散るのを防止したりできる。
【００１６】
本発明によると、ガラス要素８は、その一面が安全フィルム２０で裏打ちされた窓ガラス１４からなる。この安全フィルムは、厚さ約２００〜３５０マイクロメートルのポリエチレンテレフタレートのフィルムである。このフィルム２０は接着材料を介して窓ガラス１４に付着する。
【００１７】
このガラス要素８はマウント要素１０に接着剤で接合される。このマウント１０は、例えば金属フレームであり、建物に取り付けられ、この建物の開口部の境界を画する壁１２を有する。
【００１８】
ガラス要素８は、完全にまたは部分的に、開口部を閉鎖する。窓ガラス１４の周縁部分１６は、開口部の周囲のすべてまたはごく一部にわたって、マウント１０を覆う。窓ガラスの前記部分１６は、ガラス要素に平行な平面において開口部の周縁を延びるマウントの領域１７に対向するように、前記開口部を取り巻く。
【００１９】
窓ガラス１４に用いられたフィルム２０は、窓ガラス１４の開口部に対向する内側表面全体に存在しているが、端に近い窓ガラスの劣化を制限するために、この表面の周囲にも存在している。“窓ガラス１４の内側表面”との表現は、当然ながら、マウント１０に対向する表面を意味する。
【００２０】
図示の例では、フィルムの周縁限界２２は、開口部を画定するマウントの壁１２と窓ガラスの周縁端１８の間に位置し、フィルムの周縁帯部２４が前記周縁部分１６と前記領域１７の間を延びている。帯部２４は、開口部に隣接する領域１７の内側部分１７Ａ上に、領域１７と対向するように配置されている。帯部２４は窓ガラスの一部の上を延び、開口部に対向する窓ガラスの表面に隣接する周縁部分１６の内側部分１６Ａを覆う。内側部分１６Ａおよび１７Ａは、限界２２の水平面と開口部を画定するマウントの壁１２の水平面の間を延びている。
【００２１】
周縁部分１６の外側部分１６Ｂは、窓ガラスの周縁端１８に隣接している。外側部分１６Ｂは、フィルムのない縁部、すなわちフィルムで覆われていない窓ガラスの縁部１６Ｂを成す。窓ガラスの周縁端とフィルムの周縁限界の間に位置する縁部１６Ｂを外れると、窓ガラスは、その内側表面全体がフィルムによって覆われている。
【００２２】
外側部分１６Ｂ、すなわち縁部１６Ｂ、および外側部分１７Ｂはしたがって、端１８の水平面と限界２２の水平面の間を延びている。
【００２３】
接着シールとも呼ばれる接着ストリップ３０は、ガラス要素をマウント要素１０に取り付けるために、領域１７と窓ガラス１４の部分１６の間に配置されている。
【００２４】
接着ストリップ３０は、フィルムのそばの内側端３０Ａと窓ガラスの周縁端１８のそばの外側端３０Ｂを有する。接着ストリップ３０は、中央軸３０Ｃを有する。
【００２５】
接着ストリップ３０はまた、窓ガラスとフィルムによって形成されたアセンブリの結合を保持するために、フィルム２０を接着剤で接合することにも利用される。
【００２６】
本発明によれば、フィルムの周縁限界２２は、直線でもほぼ直線でもない。
【００２７】
図示の代表的な実施例では、限界２２はうねっており、窓ガラスの周囲の大きいほうの部分に沿って、窓ガラスの端とほぼ平行に中央線２２Ａ（図３）を形成する。うねりの大きさは、この場合、およそ５ミリメートルである。
【００２８】
図示しない実施例では、限界２２は、振幅が４ミリメートルの正弦波にほぼ従う形でカットされる。正弦波の振幅は、ガラス要素の周縁エナメル加工の幅に基づき、エナメル加工は通常、接着剤を外側から不可視とすることを意図している。
【００２９】
図示の実施例では、限界２２は、波を成すような形に従ってカットされている。各波の山は、窓ガラスの端に最も近い限界２２の部分に対応しており、窓ガラスの端から最も遠い限界２２の部分に対応する各波の谷の形よりも平坦な形となっている。
【００３０】
本発明によれば、接着ストリップ３０は、波の山は覆うが波の谷は覆わない。よって各谷は、ストリップ３０による接着剤接合からは自由である。図示の実施例では、接着ストリップ３０は、およそ１ミリメートルの距離だけ波の山を覆っている。この場合、接着ストリップ３０は、波の振幅のおよそ４分の１の距離だけ、かつ接着ストリップの幅の４分の１未満の距離だけ波の山を覆っている。
【００３１】
ストリップによって覆われていないフィルムの領域は、窓ガラス１４のマウント１０への取り付けクオリティのために、窓ガラスからのストリップ３０の初期剥離領域の存在を避けることができる。
【００３２】
このように好都合には、もしも窓ガラスに衝撃が加わったときにフィルムと窓ガラスの結合に関して接着材料が不十分ならば、接着ストリップ３０が、マウント１０への窓ガラス取り付けのための接着ストリップの効果を損なうことなく、周縁限界でのフィルムの効果を高めることによって、窓ガラスが壊れることを防止する。
【００３３】
建物に連結されたマウント１０へのガラス要素８の取り付けの第１段階では、接着ストリップ３０が、周縁限界２２の中央線２２Ａからズレた状態で張り付けられ、その後に安全ガラス要素がマウント上に組み付けられる。
【００３４】
なお、接着ストリップ３０の中央軸３０Ｃは、中央線２２Ａおよびフィルムの波の山の両方から、外側に向けて、すなわち窓ガラス１４の周縁端１８に向けてズレている。
【００３５】
ストリップ３０は、窓ガラス１４の周縁部分１６の外側部分１６Ｂと、フィルム２０、フィルムの第１の周縁部分の両方にわたって用いられている。
【００３６】
次に、第２の取り付け段階では、窓ガラスが開口部１２および壁１０の領域１７に供され、そして窓ガラス１４を壁１０に取り付けるためにストリップ３０が外側部分１７Ｂに押し付けられる。
【００３７】
ストリップ３０は、窓ガラス１４とマウント１０の間で圧縮され、フィルムの周縁限界の一部に付着する。
【００３８】
典型的には、接着ストリップ３０は、６〜１０ミリメートルの幅である。
【００３９】
図示の実施例では、フィルムの限界の非直線的カットが連続、すなわち鋭角的な角を有していないが、代案としては、フィルムの限界がのこぎり歯形状、すなわち山と谷を成す三角形カットを有するものに従う。代案としては、フィルムの限界が、山と谷を成す切り欠き形状に従う。
【００４０】
他の実施例では、山のすべてが接着剤と連絡せず、よって第２の部分が一連の山と谷からなる。
【図１】
2010533251.tif 000003
【図２】
2010533251.tif 000004
【図３】
2010533251.tif 000005
【国際調査報告】
2010533251.tif 000006
2010533251.tif 000007
2010533251.tif 000008
2010533251.tif 000009